(57)【要約】【課題】本願が開示する技術は、一つの側面として、カバーの開放作業の手間を低減することを目的とする。【解決手段】ノートパソコン１０は、開口部４０が形成された固定側筐体３０と、開口部４０に開閉可能に取り付けられたメモリカバー５０とを備えている。このメモリカバー５０は、開口部４０の奥側へ向けて延出する第１把持片６２Ａと、第１把持片６２Ａと対向して配置される第２把持片６２Ｂとを有している。第２把持片６２Ｂは、第１把持片６２Ａに接離可能に弾性支持されると共に、第１把持片６２Ａとの間に挿入溝６４を形成している。この挿入溝６４にマイナスドライバー９０の先端部９０Ａが挿入されると、第２把持片６２Ｂは、第１把持片６２Ａから離間して被係止部８２に対する爪部７０の係止状態を解除すると共に、該第１把持片６２Ａとの間でマイナスドライバー９０の先端部９０Ａを把持する。【選択図】図９Ｂ
2014029647.tif 000002
【特許請求の範囲】
【請求項１】
開口部が形成された筐体本体と、
前記開口部に開閉可能に取り付けられたカバーと、
前記カバーから前記開口部の奥側へ向けて延出する第１把持片と、
前記筐体本体に設けられた被係止部に前記カバーの開放方向に係止される係止部を有し、前記第１把持片と対向して配置され、前記第１把持片に接離可能に弾性支持されると共に、該第１把持片との間に前記開口部の開口方向が開口した挿入部を形成し、前記第１把持片から離間して前記被係止部に対する前記係止部の係止状態を解除する第２把持片と、
を備えた筐体。
【請求項２】
前記第２把持片が、前記第１把持片に対して前記カバーの開放方向と反対側に配置されている、
請求項１に記載の筐体。
【請求項３】
前記筐体本体には、前記係止部が前記被係止部に係止された状態で、前記係止部の前記第１把持片側に配置される規制部が設けられている、
請求項１又は請求項２に記載の筐体。
【請求項４】
前記カバーの一端部が、該一端部に沿った回動軸を中心として前記開口部に開閉可能に取り付けられ、
前記第１把持片が、前記カバーの他端側に設けられ、
前記第２把持片が、前記第１把持片に対して前記回動軸と反対側に配置されている、
請求項１〜請求項３の何れか１項に記載の筐体。
【請求項５】
前記第１把持片及び前記第２把持片の各々には、前記挿入部へ突出する一対の突出部が設けられている、
請求項１〜請求項４の何れか１項に記載の筐体。
【請求項６】
前記第２把持片から突出する一方の前記突出部が、前記第１把持片から突出する他方の前記突出部に対して前記挿入部の挿入口側に位置している、
請求項５に記載の筐体。
【請求項７】
前記第２把持片には、前記第１把持片と反対側へ突出する係合部が設けられ、
前記筐体本体には、前記係合部に対して前記開口部の奥側に配置された被係合部が設けられている、
請求項１〜請求項６の何れか１項に記載の筐体。
【請求項８】
電子部品と、
前記電子部品を収納する請求項１〜請求項７の何れか１項に記載の筐体と、
を備えた電子装置。
【発明の詳細な説明】
【技術分野】
【０００１】
本願が開示する技術は、筐体、及び筐体を備えた電子装置に関する。
【背景技術】
【０００２】
電子部品を着脱するための開口部が形成された筐体と、筐体の開口部にスライド可能に取り付けられると共に筐体に係止される爪部が形成されたカバーと、を備えた電子装置が知られている。
【０００３】
この種の電子装置として、開口部の外周部に形成されたロック解除用孔に工具を挿入し、当該工具によって爪部を押圧することにより、筐体に対する爪部の係止状態を解除するものが知られている。
【先行技術文献】
【特許文献】
【０００４】
【特許文献１】特開２００２−２１６７２８号公報
【特許文献２】実開平１−９１８０号公報
【０００５】
しかしながら、前述した電子装置では、工具が、筐体に対する爪部の係止状態を解除するためだけに用いられる。そのため、作業者が一方の手で工具を把持し、爪部を押圧しながら、他方の手でカバーを筐体に対して開放方向へスライドさせる必要があるため、カバーの開放作業に手間がかかる可能性がある。
【発明の概要】
【発明が解決しようとする課題】
【０００６】
本願が開示する技術は、一つの側面として、カバーの開放作業の手間を低減することを目的とする。
【課題を解決するための手段】
【０００７】
本願が開示する技術では、筐体は、開口部が形成された筐体本体と、開口部に開閉可能に取り付けられたカバーと、を備えている。また、筐体は、カバーから開口部の奥側へ向けて延出する第１把持片と、第１把持片と対向して配置される第２把持片と、を備えている。
【０００８】
第２把持片は、筐体本体に設けられた被係止部にカバーの開放方向に係止される係止部を有し、第１把持片に接離可能に弾性支持されると共に、当該第１把持片との間に開口部の開口方向が開口した挿入部を形成している。この第２把持片は、第１把持片から離間して被係止部に対する係止部の係止状態を解除する。
【発明の効果】
【０００９】
本願が開示する技術によれば、カバーの開放作業の手間を低減することができる。
【図面の簡単な説明】
【００１０】
【図１】図１は、一実施例に係るノートパソコンを示す斜視図である。
【図２】図２は、図１に示されるノートパソコンの固定側筐体を下方から見た平面図である。
【図３】図３は、図２に示される固定側筐体とメモリカバーと示す分解斜視図である。
【図４】図４は、図２の４−４線断面図である。
【図５】図５は、ロック機構を示す図３の一部拡大斜視図である。
【図６Ａ】図６Ａは、図８の６Ａ−６Ａ線断面図である。
【図６Ｂ】図６Ｂは、第２把持片の変形状態を示す図６Ａに相当する断面図である。
【図７】図７は、図６Ａの一部拡大図である。
【図８】図８は、ロック機構を構成する爪部を示す図２の一部拡大図である。
【図９Ａ】図９Ａは、図８の９Ａ−９Ａ線断面図である。
【図９Ｂ】図９Ｂは、第２把持片の変形状態を示す図９Ａに相当する断面図である。
【発明を実施するための形態】
【００１１】
以下、図面を参照しながら本願が開示する電子装置の一実施例について説明する。
【００１２】
図１に示されるように、電子装置の一例としてのノートブック型パーソナルコンピュータ（以下、「ノートパソコン」という）１０は、固定側装置１２と、可動側装置１４とを備えている。可動側装置１４は、固定側装置１２の後端部に図示しないヒンジユニットを介して開閉（回動）可能に支持されている。
【００１３】
可動側装置１４は、表示パネル１６と、表示パネル１６を収納する可動側筐体１８とを有している。表示パネル１６の前面は、画像や映像等を表示する表示面１６Ａとされている。
【００１４】
可動側筐体１８は、表示パネル１６の表示面１６Ａの外周部を覆うフロントカバー２０と、表示パネル１６の背面を覆うバックカバー２２とを有している。フロントカバー２０は枠状に形成されており、その内側から表示パネル１６の表示面１６Ａが露出している。
【００１５】
固定側装置１２は、筐体本体の一例としての固定側筐体３０を有している。なお、以下では、各図において適宜示される矢印Ｘ方向を固定側筐体３０の前後方向（筐体前後方向）の前側とし、矢印Ｚ方向を固定側筐体３０の上下方向（筐体上下方向）の上側として説明する。また、矢印Ｙ方向を固定側筐体３０の幅方向（筐体幅方向）として説明する。
【００１６】
固定側筐体３０は、複数の電子部品が実装されたプリント基板２８（図３参照）等を収納するものであり、薄型の箱状に形成されている。この固定側筐体３０は、上下方向に分割された一対のアッパーケース３２及びロアケース３４を有している。これらのアッパーケース３２とロアケース３４とは、図示しないビス等で接合されている。
【００１７】
図２に示されるように、ロアケース３４の底壁部３４Ａにおける後側には、バッテリ２４が配置されている。また、ロアケース３４の底壁部３４Ａにおける筐体幅方向の一端側（図２において、右側）には、冷却装置を構成する放熱フィンを清掃するための図示しない清掃用開口部が形成されている。この清掃用開口部には、放熱フィンカバー２６が開閉可能に取り付けられている。
【００１８】
図３に示されるように、ロアケース３４の底壁部３４Ａにおける前側には、記憶装置の一例としてのメモリカード（主記憶装置）３８を収納するための開口部４０が形成されている。開口部４０は矩形に形成されており、この開口部４０を介して複数（本実施例では、２枚）のメモリカード３８が固定側筐体３０に収納されたプリント基板２８に着脱可能に装着されている。
【００１９】
開口部４０には、カバーの一例としてのメモリカバー５０が開閉可能に取り付けられる。メモリカバー５０は樹脂によって矩形の板状に形成されている。このメモリカバー５０の筐体前後方向の一端部（前端部）５０Ａは、開口部４０における筐体前後方向の一端側（前端側）の開口縁部４０Ａに開閉可能に取り付けられる。
【００２０】
具体的には、メモリカバー５０の一端部５０Ａには、筐体幅方向に互いに離間する一対の引掛け部５２が設けられている。各引掛け部５２は、メモリカバー５０の一端部５０Ａから延出すると共に、筐体幅方向に延びる開口縁部４０Ａに内側から着脱可能に引っ掛けられるように鉤状に形成されている。
【００２１】
一方、開口部４０の開口底部４０Ｌにおける前端側には、一対の引掛け部５２の各々が挿入される一対の切欠き孔４２が形成されている。これらの切欠き孔４２を介して一対の引掛け部５２を開口縁部４０Ａに内側から引っ掛けることにより、メモリカバー５０の一端部５０Ａが開口縁部４０Ａに回動可能に取り付けられる。つまり、メモリカバー５０は、その一端部５０Ａに沿った開口縁部４０Ａに回動軸として当該開口縁部４０Ａに回動可能に取り付けられる。これにより、図４に示されるように、メモリカバー５０が、開口部４０を閉塞する閉塞位置（実線で示される位置）と、開口部４０を開放する開放位置（二点鎖線で示される位置）との間を回動可能になっている。なお、図４に示される矢印Ｒ１はメモリカバー５０の開放方向を示し、矢印Ｒ２はメモリカバー５０の閉塞方向を示している。
【００２２】
また、図３に示されるように、メモリカバー５０の筐体幅方向の両端部５０Ｂには、当該両端部５０Ｂから開口部４０の奥側へ向けて突出する位置決め用突起５４がそれぞれ設けられている。各位置決め用突起５４は、メモリカバー５０が開口部４０を閉じる閉塞位置に位置したときに、開口底部４０Ｌの筐体幅方向の両端に形成された位置決め用孔４４に挿入されると共に、開口部４０における筐体幅方向の両側の開口縁部４０Ｂに係合される。これにより、開口部４０に対してメモリカバー５０が筐体幅方向に位置決めされる。
【００２３】
さらに、メモリカバー５０の筐体前後方向の他端部５０Ｃ（後端部）には、作業者がメモリカバー５０を開放するときに指等を引っ掛ける引掛け溝５６と、メモリカバー５０を閉塞位置に位置させた状態で保持するロック機構６０が設けられている。
【００２４】
図５に示されるように、ロック機構６０は、メモリカバー５０の他端部５０Ｃに形成された矩形の切欠き部５８に配置されている。このロック機構６０は、後述するマイナスドライバー９０（図６Ａ参照）の先端部９０Ａを把持する把持部６２を有している。把持部６２は、メモリカバー５０から開口部４０の奥側へ向けて凸を成す断面Ｕ字形状に形成されており、互いに対向する一対の第１把持片６２Ａ及び第２把持片６２Ｂと、第１把持片６２Ａと第２把持片６２Ｂとを接続する底壁部６２Ｃとを有している。
【００２５】
第１把持片６２Ａは、切欠き部５８における前側の縁部５８Ａから開口部４０の奥側（開口底部４０Ｌ側）へ向けて延出している。第２把持片６２Ｂは、この第１把持片６２Ａに対して前述したメモリカバー５０の回動軸となる開口縁部４０Ａ（図４参照）と反対側に配置されている。換言すると、第２把持片６２Ｂは、第１把持片６２Ａに対してメモリカバー５０の開放方向と反対側に配置されている。
【００２６】
これらの第１把持片６２Ａと第２把持片６２Ｂとの間には、開口部４０の開口方向（矢印Ｙと反対方向）が開口した挿入部の一例としての挿入溝６４が形成されている。この挿入溝６４の底壁部６２Ｃを介して第２把持片６２Ｂが第１把持片６２Ａに接離可能に弾性支持されている。
【００２７】
また、図６Ａに示されるように、第１把持片６２Ａ及び第２把持片６２Ｂには、挿入溝６４へ突出する一対の突出部６６が設けられている。これにより、一対の突出部６６の間にマイナスドライバー９０の先端部９０Ａが挿入されたときに、図６Ｂに示されるように、第２把持片６２Ｂが第１把持片６２Ａから離間する方向（矢印Ｔ方向）へ弾性変形する。また、弾性変形した第２把持片６２Ｂの復元力により、一対の突出部６６の間でマイナスドライバー９０の先端部９０Ａが両側から把持される。
【００２８】
これら一対の突出部６６は、図７に示されるように断面三角形状に形成されている。各突出部６６における挿入溝６４の挿入口６４Ａ側には、突出方向の先端部６６Ａ側へ向うに従って挿入口６４Ａと反対側（開口底部４０Ｌ側）へ向うように傾斜する傾斜部６６Ｂがそれぞれ形成されている。これらの傾斜部６６Ｂによって、マイナスドライバー９０の先端部９０Ａが一対の突出部６６の先端部６６Ａ間へ案内されるように構成されている。
【００２９】
また、第２把持片６２Ｂから突出する一方の突出部６６は、第１把持片６２Ａから突出する他方の突出部６６に対して挿入溝６４の挿入口６４Ａ側に位置している。これにより、一対の突出部６６の間にマイナスドライバー９０の先端部９０Ａが挿入されたときに、第１把持片６２Ａよりも第２把持片６２Ｂに発生するモーメントが大きくなるように構成されている。これにより、一対の突出部６６の間にマイナスドライバー９０の先端部９０Ａが挿入されたときに、第２把持片６２Ｂが第１把持片６２Ａから離間する方向へ弾性変形し易くなっている。
【００３０】
さらに、各突出部６６における挿入口６４Ａと反対側は、マイナスドライバー９０の挿入方向と直交する方向に延びる平坦部６６Ｃが形成されている。これにより、一対の突出部６６の間からマイナスドライバー９０の先端部９０Ａを引き抜くときに、当該先端部９０Ａが各突出部６６の平坦部６６Ｃに引っ掛かり、一対の突出部６６の間からマイナスドライバー９０の先端部９０Ａが抜け難くなっている。
【００３１】
さらにまた、第２把持片６２Ｂには、第１把持片６２Ａと反対側へ突出する係合部６８が設けられている。一方、開口部４０の内側壁部４６には、係合部６８に対して開口部４０の奥側に配置される被係合部４８が設けられている。これにより、第２把持片６２Ｂが第１把持片６２Ａから離間する方向へ弾性変形したときに、被係合部４８に対して係合部６８がマイナスドライバー９０の挿入方向に係合し、第２把持片６２Ｂの開口部４０の奥側への変位が規制されるように構成されている。
【００３２】
ここで、図５及び図８に示されるように、第１把持片６２Ａの幅方向の両側には、係止部の一例としての爪部７０がそれぞれ設けられている。一方、開口底部４０Ｌにおける爪部７０と対向する部位には、一対の規制部の一例としての一対の規制壁部８０が設けられている。
【００３３】
一対の規制壁部８０は、図９Ａに示されるように、爪部７０が後述する被係止部８２に係止された状態で、当該爪部７０に対して第１把持片６２Ａ側に配置されている。これにより、第２把持片６２Ｂが第１把持片６２Ａに接近する方向へ弾性変形しようとしたときに、爪部７０が規制壁部８０に当接し、第２把持片６２Ｂの弾性変形が規制されるように構成されている。
【００３４】
また、各規制壁部８０には、当該規制壁部８０から第１把持片６２Ａと反対側へ延出する被係止部８２が設けられている。被係止部８２は、爪部７０に対してメモリカバー５０の開放方向（矢印Ｒ１方向）側に配置されている。そのため、メモリカバー５０が開放方向へ回動しようとしたときに、爪部７０が被係止部８２に係止される。これにより、メモリカバー５０の開放方向へ回動が規制され、メモリカバー５０が閉塞位置に位置した状態で保持されるように構成されている。
【００３５】
一方、図９Ｂに示されるように、挿入溝６４にマイナスドライバー９０の先端部９０Ａが挿入されると、第２把持片６２Ｂの弾性変形に伴って爪部７０が第１把持片６２Ａから離間する方向へ移動する。より具体的には、爪部７０が、被係止部８２に係止される係止位置（図９Ａに示される位置）から被係止部８２との係止状態が解除される解除位置（図９Ｂに示す位置）へ移動する。これにより、被係止部８２に対する爪部７０の係止状態が解除される。また、爪部７０が解除位置に移動すると、爪部７０が被係止部８２と被係合部４８との間に形成された着脱開口８４を介してメモリカバー５０の開放方向へ移動可能になる。
【００３６】
次に、本実施例の作用について説明する。
【００３７】
図９Ａには、固定側筐体３０の被係止部８２にロック機構６０の爪部７０がメモリカバー５０の開放方向に係止され、開口部４０にメモリカバー５０が閉塞位置で保持された状態が示されている。この状態からメモリカバー５０を開放するときには、図６Ａ及び図６Ｂに示されるように、ロック機構６０の把持部６２に形成された挿入溝６４にマイナスドライバー９０の先端部９０Ａを挿入する。これにより、第１把持片６２Ａ及び第２把持片６２Ｂの各々から挿入溝６４へ突出する一対の突出部６６の間でマイナスドライバー９０の先端部９０Ａが把持されると共に、第２把持片６２Ｂが第１把持片６２Ａから離間する方向（矢印Ｔ方向）へ弾性変形する。この第２把持片６２Ｂの弾性変形に伴って、図９Ｂに示されるように、爪部７０が第１把持片６２Ａから離間する方向へ移動する。つまり、爪部７０が、被係止部８２に係止される係止位置から、被係止部８２との係止状態が解除される解除位置へ移動する。これにより、被係止部８２に対する爪部７０に係止状態が解除されると共に、爪部７０が着脱開口８４を介してメモリカバー５０の開放方向へ移動可能になる。
【００３８】
この状態で、作業者がメモリカバー５０の引掛け溝５６に指等を引っ掛けると共に、図４に二点鎖線で示されるように、把持部６２によって先端部９０Ａが把持されたマイナスドライバー９０をメモリカバー５０の開放方向（矢印Ｒ１方向）へ引き上げる。これにより、メモリカバー５０が一対の引掛け部５２が引っ掛けられた開口縁部４０Ａを中心として開放方向へ回動し、メモリカバー５０が開放される。
【００３９】
一方、メモリカバー５０を閉じるときには、把持部６２からマイナスドライバー９０の先端部９０Ａを抜いた状態で、一対の引掛け部５２が引っ掛けられた開口縁部４０Ａを中心としてメモリカバー５０を閉塞方向（矢印Ｒ２方向）へ回動させる。そして、ロック機構６０の爪部７０に形成された傾斜面７０Ａ（図５参照）を着脱開口８４の縁部に押し付け、第２把持片６２Ｂを第１把持片６２Ａから離間する方向へ弾性変形させながら爪部７０を着脱開口８４へ挿入する。爪部７０が着脱開口８４に挿入されると、第２把持片６２Ｂが第１把持片６２Ａに接近する方向へ復元する。この第２把持片６２Ｂの復元に伴って、爪部７０が解除位置から係止位置に移動し、被係止部８２に対して爪部７０が係止される。これにより、メモリカバー５０が閉塞位置に位置した状態で保持される。
【００４０】
このように本実施例では、挿入溝６４にマイナスドライバー９０の先端部９０Ａを挿入することにより、爪部７０が被係止部８２に係止される係止位置から被係止部８２との係止状態が解除される解除位置へ移動する。この状態で、一対の第１把持片６２Ａ及び第２把持片６２Ｂの間でマイナスドライバー９０の先端部９０Ａが把持される。したがって、マイナスドライバー９０をメモリカバー５０の開放方向へ引き上げることにより、メモリカバー５０を開放することができる。したがって、メモリカバー５０の開放作業の手間が低減される。
【００４１】
また、図７に示されるように、第１把持片６２Ａ及び第２把持片６２Ｂには、突出部６６がそれぞれ設けられている。これら一対の突出部６６によって、マイナスドライバー９０の先端部９０Ａを把持することにより、当該先端部９０Ａに対する把持力が大きくなる。
【００４２】
さらに、各突出部６６における挿入溝６４の挿入口６４Ａ側には、突出方向の先端部６６Ａ側へ向うに従って挿入口６４Ａと反対側（開口底部４０Ｌ側）へ向うように傾斜する傾斜部６６Ｂが形成されている。これにより、挿入溝６４にマイナスドライバー９０の先端部９０Ａが挿入されたときに、各突出部６６の傾斜部６６Ｂに沿って、マイナスドライバー９０の先端部９０Ａが一対の突出部６６の先端部６６Ａの間へ案内される。したがって、一対の突出部６６の間に、マイナスドライバー９０の先端部９０Ａを容易に挿入することができる。
【００４３】
しかも、第２把持片６２Ｂから突出する一方の突出部６６は、第１把持片６２Ａから突出する他方の突出部６６に対して挿入溝６４の挿入口６４Ａ側に位置している。これにより、一対の突出部６６の間にマイナスドライバー９０の先端部９０Ａが挿入されたときに、第１把持片６２Ａと比較して第２把持片６２Ｂに大きなモーメントが発生する。これにより、第２把持片６２Ｂが第１把持片６２Ａから離間する方向へ弾性変形し易くなり、一対の突出部６６の間にマイナスドライバー９０の先端部９０Ａを挿入する挿入力が低減される。したがって、メモリカバー５０の開放作業の手間がさらに低減される。
【００４４】
一方、各突出部６６における挿入口６４Ａと反対側は、マイナスドライバー９０の挿入方向と直交する方向に延びる平坦部６６Ｃが形成されている。これにより、一対の突出部６６の間に先端部９０Ａが挿入されたマイナスドライバー９０をメモリカバー５０の開放方向へ引き上げるときに、マイナスドライバー９０の先端部９０Ａが各突出部６６の平坦部６６Ｃに引っ掛かり易くなっている。したがって、マイナスドライバー９０によってメモリカバー５０を開放方向へ引き上げるときに、一対の突出部６６の間からマイナスドライバー９０の先端部９０Ａが抜け出すことが抑制される。
【００４５】
また、本実施例では、第２把持片６２Ｂを第１把持片６２Ａに対してメモリカバー５０の開放方向と反対側へ弾性変形させることにより、被係止部８２に対する爪部７０の係止状態が解除される。つまり、本実施例では、メモリカバー５０を開放するときに、第１把持片６２Ａの変形方向とメモリカバー５０の開放方向とが反対方向になる。そのため、作業者が指等によって第２把持片６２Ｂを弾性変形させ、被係止部８２に対する爪部７０の係止状態を解除した状態で、メモリカバー５０を開放方向へ回動させることが困難になる。
【００４６】
このように本実施例では、マイナスドライバー９０等の所定の工具（挿入部材）を用いなければ、メモリカバー５０を開放することが困難になる。したがって、開口部４０の収納されたメモリカード３８の盗難等を防止することができる。
【００４７】
また、開口底部４０Ｌには、停止位置に位置する爪部７０に対して第１把持片６２Ａ側に配置される規制壁部８０が設けられている。これにより、例えば、作業者が指等によって第２把持片６２Ｂを第１把持片６２Ａに接近する方向へ弾性変形させようとしたときに、爪部７０が規制壁部８０に当接し、第２把持片６２Ｂが第１把持片６２Ａに接近する方向の弾性変形が規制される。したがって、被係止部８２に対する爪部７０の係止状態が解除されることが抑制される。
【００４８】
さらに、第２把持片６２Ｂには、第１把持片６２Ａと反対側へ突出する係合部６８が設けられている。一方、開口部４０の内側壁部４６には、係合部６８に対して開口部４０の奥側に配置される被係合部４８が設けられている。これにより、マイナスドライバー９０の先端部９０Ａを挿入溝６４に挿入し、第２把持片６２Ｂを弾性変形させたときに、被係合部４８に対して係合部６８がマイナスドライバー９０の挿入方向に係合し、第２把持片６２Ｂの開口部４０の奥側への変位が規制される。したがって、把持部６２の破損等が抑制される。
【００４９】
さらにまた、本実施例では、被係止部８２に爪部７０を係止させることにより、メモリカバー５０が閉塞位置で保持される。したがって、ネジやビス等によってロアケース３４にメモリカバー５０を固定する場合と比較して、部品点数を低減することができる。
【００５０】
次に、上記実施例の変形例について説明する。
【００５１】
上記実施例では、第１把持片６２Ａ及び第２把持片６２Ｂに突出部６６をそれぞれ設けた例を示したが、第１把持片６２Ａ及び第２把持片６２Ｂの一方に突出部６６を設けても良い。また、突出部６６は、必要に応じて第１把持片６２Ａ及び第２把持片６２Ｂに設ければ良く、適宜省略可能である。
【００５２】
また、上記実施例では、把持部６２を断面Ｕ字形状に形成した例を示したが、把持部６２の形状は適宜変更可能である。さらに、上記実施例で示した爪部７０、被係止部８２、及び規制壁部８０等の形状や配置、数は適宜変更である。これと同様に、上記実施例で示した係合部６８及び被係合部４８の形状や配置、数も適宜変更である。なお、規制壁部８０、係合部６８、及び被係合部４８は、必要に応じて設ければ良く、適宜省略可能である。
【００５３】
また、上記実施例では、第２把持片６２Ｂを第１把持片６２Ａに対し、メモリカバー５０の回動軸となる開口縁部４０Ａと反対側に配置した例を示したが、これに限らない。例えば、第２把持片６２Ｂを第１把持片６２Ａに対して開口縁部４０Ａ側に配置しても良い。
【００５４】
また、上記実施例では、メモリカバー５０の他端部５０Ｃにロック機構６０を設けた例を示したが、これに限らない。例えば、メモリカバー５０の筐体幅方向の端部５０Ｂにロック機構６０を設けても良い。
【００５５】
また、上記実施例では、メモリカバー５０の一端部５０Ａを開口部４０の開口縁部４０Ａに着脱可能に取り付けられたが、これに限らない。例えば、メモリカバー５０の一端部５０Ａをヒンジ等を介して開口部４０の開口縁部４０Ａに着脱不能に取り付けても良い。
【００５６】
また、上記実施例では、カバーとしてメモリカバー５０を例に説明したが、これに限らない。カバーは、例えば、放熱フィンカバー２６や、記憶装置の一例としてのハードディスクドライブ用の開口部に開閉可能に取り付けられるハードディスクカバーであっても良い。
【００５７】
また、上記実施例では、挿入部材としてマイナスドライバー９０を例に説明したが、これに限らない。挿入部材は、ロック機構６０の挿入溝６４に挿入され、爪部７０と被係止部８２との係止状態を解除可能な部材であれば良い。また、挿入部材は、マイナスドライバー９０のような汎用品に限らず、把持部６２の形状に応じた専用品であっても良い。
【００５８】
さらに、上記実施例では、電子装置の一例として、ノートパソコン１０を例に説明したが、上記実施例は、例えば、ＤＶＤプレーヤー、電子辞書等の電子装置にも適用可能である。
【００５９】
以上、本願が開示する技術の一実施例について説明したが、本願が開示する技術は上記一実施例に限定されるものでない。また、上記一実施例及び各種の変形例を適宜組み合わせて用いても良いし、本願が開示する技術の要旨を逸脱しない範囲において、種々なる態様で実施し得ることは勿論である。
【００６０】
なお、以上の一実施例を含む実施形態に関し、更に以下の付記を開示する。
【００６１】
（付記１）
開口部が形成された筐体本体と、
前記開口部に開閉可能に取り付けられたカバーと、
前記カバーから前記開口部の奥側へ向けて延出する第１把持片と、
前記筐体本体に設けられた被係止部に前記カバーの開放方向に係止される係止部を有し、前記第１把持片と対向して配置され、前記第１把持片に接離可能に弾性支持されると共に、該第１把持片との間に前記開口部の開口方向が開口した挿入部を形成し、前記第１把持片から離間して前記被係止部に対する前記係止部の係止状態を解除する第２把持片と、
を備えた筐体。
【００６２】
（付記２）
前記第２把持片が、前記第１把持片に対して前記カバーの開放方向と反対側に配置されている、
付記１に記載の筐体。
【００６３】
（付記３）
前記筐体本体には、前記係止部が前記被係止部に係止された状態で、前記係止部の前記第１把持片側に配置される規制部が設けられている、
付記１又は付記２に記載の筐体。
【００６４】
（付記４）
前記カバーの一端部が、該一端部に沿った回動軸を中心として前記開口部に開閉可能に取り付けられ、
前記第１把持片が、前記カバーの他端側に設けられ、
前記第２把持片が、前記第１把持片に対して前記回動軸と反対側に配置されている、
付記１〜付記３の何れか一つに記載の筐体。
【００６５】
（付記５）
前記第１把持片及び前記第２把持片の各々には、前記挿入部へ突出する一対の突出部が設けられている、
付記１〜付記４の何れか一つに記載の筐体。
【００６６】
（付記６）
前記第２把持片から突出する一方の前記突出部が、前記第１把持片から突出する他方の前記突出部に対して前記挿入部の挿入口側に位置している、
付記５に記載の筐体。
【００６７】
（付記７）
前記第２把持片には、前記第１把持片と反対側へ突出する係合部が設けられ、
前記筐体本体には、前記係合部に対して前記開口部の奥側に配置された被係合部が設けられている、
付記１〜付記６の何れか一つに記載の筐体。
【００６８】
（付記８）
前記一対の突出部における前記挿入口側には、突出方向の先端部へ向うに従って前記挿入口と反対側へ向うように傾斜する傾斜部がそれぞれ形成されている、
付記５又は付記６に記載の筐体。
【００６９】
（付記９）
前記第２把持片が、前記挿入部の底壁部を介して前記第１把持片に弾性支持されている、
付記１〜付記８の何れか一つに記載の筐体。
【００７０】
（付記１０）
前記第１把持片、前記第２把持片、及び前記底壁部が、断面Ｕ字形状を成している、
付記９に記載の筐体。
【００７１】
（付記１１）
前記カバーが、前記開口部に着脱可能に取り付けられている、
付記１〜付記１０の何れか一つに記載の筐体。
【００７２】
（付記１２）
前記挿入部に挿入部材が挿入されたときに、前記第２把持片が前記第１把持片から離間して前記被係止部に対する前記係止部の係止状態を解除すると共に、該第１把持片との間で前記挿入部材を把持する、
付記１〜付記１１の何れか一つに記載の筐体。
【００７３】
（付記１３）
前記挿入部材が、マイナスドライバーである、
付記１２に記載の筐体。
【００７４】
（付記１４）
電子部品と、
前記電子部品を収納する付記１〜付記１３の何れか一つに記載の筐体と、
を備えた電子装置。
【００７５】
（付記１５）
前記電子部品が、前記開口部から前記筐体本体に収納される、
付記１４に記載の電子装置。
【００７６】
（付記１６）
前記電子部品が、記憶装置である、
付記１４又は付記１５に記載の筐体。
【符号の説明】
【００７７】
１０    ノートパソコン（電子装置の一例）
３０    固定側筐体（筐体本体の一例）
３８    メモリカード（電子部品の一例）
４０    開口部
４０Ａ  開口縁部（回動軸の一例）
４８    被係合部
５０    メモリカバー（カバーの一例）
５０Ａ  一端部（カバーの一端部の一例）
５０Ｃ  他端部（カバーの他端部の一例）
６２Ａ  第１把持片
６２Ｂ  第２把持片
６４    挿入溝（挿入部の一例）
６４Ａ  挿入口（挿入部の挿入口の一例）
６６    突出部
６８    係合部
７０    爪部（係止部の一例）
８０    規制壁部（規制部の一例）
８２    被係止部
Ｒ１    メモリカバーの開放方向（カバーの開放方向の一例）
【図１】
2014029647.tif 000003
【図２】
2014029647.tif 000004
【図３】
2014029647.tif 000005
【図４】
2014029647.tif 000006
【図５】
2014029647.tif 000007
【図６Ａ】
2014029647.tif 000008
【図６Ｂ】
2014029647.tif 000009
【図７】
2014029647.tif 000010
【図８】
2014029647.tif 000011
【図９Ａ】
2014029647.tif 000012
【図９Ｂ】
2014029647.tif 000013